(57)【要約】【課題】ガスセンサーが空気汚れを検出し運転を行う状況において、人体に当たる風量を低減でき、人体に寒さを感じさせることを低減することのできる空気清浄機を提供することを目的とする。【解決手段】ガス検出部７が検出した汚れ度により決定したファンモーター５の運転風量の大小に応じて、本体１に設けた吹出し口Ａ８と吹出し口Ｂ９と吹出し口Ｃ１０の風量の比率を本体１内に備えた制御部６が制御し、運転風量が大きくなっても人体に当たる風量を低減でき、人体に寒さを感じさせることを低減することができる空気清浄機が得られる。【選択図】図１
2007050327.tif 000002
【特許請求の範囲】
【請求項１】
本体に設けた吸気口と、この吸気口から吸気した汚れ空気を清浄化する浄化手段と、この浄化手段に通風する送風手段と、空気中の汚れ成分を検出する汚れ検出手段と、前記浄化手段により清浄化された空気が本体から吹き出される少なくとも二つ以上の吹出し口を備えた空気清浄機であって、前記吹出し口の風量の比率を制御する制御部を備え、前記汚れ検出手段による汚れ検出値により決定する前記送風手段の風量の大小に応じて、前記吹出し口の風量の比率を制御することを特徴とする空気清浄機。
【請求項２】
室温を検出する温度検出手段を備え、前記温度検出手段による室温検出値が所定温度を下回った場合に、汚れ検出手段による汚れ検出値により決定する送風手段の風量の大小に応じて、吹出し口の風量の比率を制御するようにした請求項１記載の空気清浄機。
【請求項３】
所定温度を任意の温度に設定する操作スイッチを備えたことを特徴とする請求項２記載の空気清浄機。
【請求項４】
温度検出手段が検出した室温を表示する表示手段を備えたことを特徴とする請求項２または３記載の空気清浄機。
【請求項５】
所定温度の設定を表示する表示手段を備えたことを特徴とする請求項２〜４いずれか記載の空気清浄機。
【請求項６】
人検出手段を備え、人が居ることを検出した場合に、汚れ検出手段による汚れ検出値により決定する送風手段の風量の大小に応じて、吹出し口の風量の比率を制御するようにした請求項１記載の空気清浄機。
【請求項７】
吹出し口に人検出手段を備え、前記吹出し口の吹出し方向に人が居ることを検出した場合に、汚れ検出手段による汚れ検出値により決定する送風手段の風量の大小に応じて、前記吹出し口の風量の比率を制御するようにした請求項６記載の空気清浄機。
【請求項８】
全ての吹出し方向に人が検出された場合、汚れ検出手段による汚れ検出値により決定する送風手段の風量を下げるようにした請求項７記載の空気清浄機。
【請求項９】
人検出手段の検出値を有効あるいは無効を切り替える操作スイッチを備えたことを特徴とする請求項８記載の空気清浄機。
【請求項１０】
報知手段を備え、吹出し口の風量の比率が変化した場合に、使用者に知らせることを特徴とする請求項１〜９いずれかに記載の空気清浄機。
【請求項１１】
吹出し口の風量の比率を強制的に設定する操作スイッチを備えたことを特徴とする請求項１〜１０いずれかに記載の空気清浄機。
【請求項１２】
吹出し口の風量の比率を表示する表示手段を備えたことを特徴とする請求項１〜１１いずれかに記載の空気清浄機。
【発明の詳細な説明】
【技術分野】
【０００１】
本発明は、粉塵センサーおよびガスセンサーにより室内の空気汚れを検出し、制御部が送風手段を駆動して室内空気を吸い込み、浄化手段を通して清浄化する空気清浄機に関するものである。
【背景技術】
【０００２】
従来、この種の空気清浄機は下記に記載されたものが知られている。
【０００３】
以下その空気清浄機について図１７および図１８を用いて説明する。図に示すように、空気清浄機本体１０１には、前面パネル１０２が設けられ、空気を清浄化するためのフィルター１０３と、フィルター１０３に通風するファンモーター１０４と、このファンモーター１０４を運転制御する制御部１０５を備えている。また、本体１０１の側面には室内の空気汚れを検出する光学式の粉塵センサー１０６を設け、本体１０１の前面に空気の汚れを検出するガスセンサー１０７を設けている。
【０００４】
上記構成において、粉塵センサー１０６またはガスセンサー１０７が汚れを検出したとき、制御部１０５は粉塵センサー１０６またはガスセンサー１０７からの汚れ度の大小によりファンモーター１０４の回転数を変えて通風量を変化させ、室内の汚れに対応した清浄化運転を行っている（例えば、特許文献１参照）。
【特許文献１】特許第２７５８６５５号公報
【発明の開示】
【発明が解決しようとする課題】
【０００５】
このような従来の空気清浄機では、粉塵センサーやガスセンサーが空気汚れを検出すると規定の運転風量で運転するので、使用者が予期しない運転風量で運転を行うことや最大運転風量で運転を行うことで、人体に風が当たり、寒さを感じさせてしまうという課題があり、人体に寒さを感じさせることを低減することが要求されている。
【０００６】
本発明は、このような従来の課題を解決するものであり、粉塵センサーやガスセンサーが空気汚れを検出し規定の運転風量で運転を行う状況では、人体に当たる風量を低減でき、人体に寒さを感じさせることを低減することのできる空気清浄機を提供することを目的としている。
【課題を解決するための手段】
【０００７】
本発明の空気清浄機は上記目的を達成するために、本体に設けた吸気口と、この吸気口から吸気した汚れ空気を清浄化する浄化手段と、この浄化手段に通風する送風手段と、空気中の汚れ成分を検出する汚れ検出手段と、前記浄化手段により清浄化された空気が本体から吹き出される少なくとも二つ以上の吹出し口と、前記吹出し口の風量の比率を制御する制御部を備え、前記汚れ検出手段による汚れ検出値により決定する前記送風手段の風量の大小に応じて、前記吹出し口の風量の比率を制御するようにしたものである。
【０００８】
この手段により送風手段の風量が大きくても人体に当たる風量を低減でき、人体に寒さを感じさせることを低減することのできる空気清浄機が得られる。
【０００９】
また、本発明の空気清浄機は上記目的を達成するために、室温を検出する温度検出手段を備え、前記温度検出手段による室温検出値が所定温度を下回った場合に、汚れ検出手段による汚れ検出値により決定する送風手段の風量の大小に応じて、吹出し口の風量の比率を制御するようにしたものである。
【００１０】
この手段により室温が低い場合は人体に当たる風量を低減でき、人体に寒さを感じさせることを低減することのできる空気清浄機が得られる。
【００１１】
また、本発明の空気清浄機は上記目的を達成するために、所定温度を任意の温度に設定する操作スイッチを備えるようにしたものである。
【００１２】
この手段により室温が低いか否かを判断する温度を使用者が選択することのできる空気清浄機が得られる。
【００１３】
また、本発明の空気清浄機は上記目的を達成するために、温度検出手段が検出した室温を表示する表示手段を備えるようにしたものである。
【００１４】
この手段により使用者に室温を知らせることができる空気清浄機が得られる。
【００１５】
また、本発明の空気清浄機は上記目的を達成するために、所定温度の設定を表示する表示手段を備えるようにしたものである。
【００１６】
この手段により使用者に室温が低いか否かを判断する所定温度を知らせることができる空気清浄機が得られる。
【００１７】
また、本発明の空気清浄機は上記目的を達成するために、人検出手段を備え、人が居ることを検出した場合に、汚れ検出手段による汚れ検出値により決定する送風手段の風量の大小に応じて、吹出し口の風量の比率を制御するようにしたものである。
【００１８】
この手段により空気清浄機周辺に人が居る場合は人体に当たる風量を低減でき、人体に寒さを感じさせることを低減することのできる空気清浄機が得られる。
【００１９】
また、本発明の空気清浄機は上記目的を達成するために、吹出し口に人検出手段を備え、前記吹出し口の吹出し方向に人が居ることを検出した場合に、汚れ検出手段による汚れ検出値により決定する送風手段の風量の大小に応じて、前記吹出し口の風量の比率を制御するようにしたものである。
【００２０】
この手段により吹出し方向に人が居る場合は人体に当たる風量を低減でき、人体に寒さを感じさせることを低減することのできる空気清浄機が得られる。
【００２１】
また、本発明の空気清浄機は上記目的を達成するために、全ての吹出し方向に人が検出された場合、汚れ検出手段による汚れ検出値により決定する送風手段の風量を下げるようにしたものである。
【００２２】
この手段により人体に当たる風量を低減でき、人体に寒さを感じさせることを低減することのできる空気清浄機が得られる。
【００２３】
また、本発明の空気清浄機は上記目的を達成するために、人検出手段の検出値を有効あるいは無効を切り替える操作スイッチを備えるようにしたものである。
【００２４】
この手段により使用者が送風手段の風量を下げるか否かを選択することのできる空気清浄機が得られる。
【００２５】
また、本発明の空気清浄機は上記目的を達成するために、報知手段を備え、吹出し口の風量の比率が変化した場合に、使用者に知らせるようにしたものである。
【００２６】
この手段により風量の比率が変化したことを使用者に知らせることのできる使い勝手の良い空気清浄機が得られる。
【００２７】
また、本発明の空気清浄機は上記目的を達成するために、吹出し口の風量の比率を強制的に設定する操作スイッチを備えるようにしたものである。
【００２８】
この手段により使用者が風量の比率を選択することのできる空気清浄機が得られる。
【００２９】
また、本発明の空気清浄機は上記目的を達成するために、吹出し口の風量の比率を表示する表示手段を備えるようにしたものである。
【００３０】
この手段により使用者が現在の風量の比率を知ることのできる空気清浄機が得られる。
【発明の効果】
【００３１】
本発明によれば、本体に設けた吸気口と、この吸気口から吸気した汚れ空気を清浄化する浄化手段と、この浄化手段に通風する送風手段と、空気中の汚れ成分を検出する汚れ検出手段と、前記浄化手段により清浄化された空気が本体から吹き出される少なくとも二つ以上の吹出し口と、前記吹出し口の風量の比率を制御する制御部を備え、前記汚れ検出手段による汚れ検出値により決定する前記送風手段の風量の大小に応じて、前記吹出し口の風量の比率を制御することにより、送風手段の風量が大きくても人体に当たる風量を低減でき、人体に寒さを感じさせることを低減することのできるという効果のある空気清浄機を提供できる。
【００３２】
また、室温を検出する温度検出手段を備え、前記温度検出手段による室温検出値が所定温度を下回った場合に、汚れ検出手段による汚れ検出値により決定する送風手段の風量の大小に応じて、吹出し口の風量の比率を制御することにより、室温が低い場合は人体に当たる風量を低減でき、人体に寒さを感じさせることを低減することのできるという効果のある空気清浄機を提供できる。
【００３３】
また、所定温度を任意の温度に設定する操作スイッチを備えることにより、室温が低いか否かを判断する温度を使用者が選択することのできるという効果のある空気清浄機を提供できる。
【００３４】
また、温度検出手段が検出した室温を表示する表示手段を備えることにより、使用者に室温を知らせることができるという効果のある空気清浄機を提供できる。
【００３５】
また、所定温度の設定を表示する表示手段を備えることにより、使用者に室温が低いか否かを判断する所定温度を知らせることができるという効果のある空気清浄機を提供できる。
【００３６】
また、人検出手段を備え、人が居ることを検出した場合に、汚れ検出手段による汚れ検出値により決定する送風手段の風量の大小に応じて、吹出し口の風量の比率を制御することにより、空気清浄機周辺に人が居る場合は人体に当たる風量を低減でき、人体に寒さを感じさせることを低減することのできるという効果のある空気清浄機を提供できる。
【００３７】
また、吹出し口に人検出手段を備え、前記吹出し口の吹出し方向に人が居ることを検出した場合に、汚れ検出手段による汚れ検出値により決定する送風手段の風量の大小に応じて、前記吹出し口の風量の比率を制御することにより、吹出し方向に人が居る場合は人体に当たる風量を低減でき、人体に寒さを感じさせることを低減することのできるという効果のある空気清浄機を提供できる。
【００３８】
また、全ての吹出し方向に人が検出された場合、汚れ検出手段による汚れ検出値により決定する送風手段の風量を下げるようにすることにより、人体に当たる風量を低減でき、人体に寒さを感じさせることを低減することのできるという効果のある空気清浄機を提供できる。
【００３９】
また、人検出手段の検出値を有効あるいは無効を切り替える操作スイッチを備えることにより、使用者が送風手段の風量を下げるか否かを選択することのできるという効果のある空気清浄機を提供できる。
【００４０】
また、報知手段を備え、吹出し口の風量の比率が変化した場合に、使用者に知らせるようにすることにより、風量の比率が変化したことを使用者に知らせることのできる使い勝手の良い空気清浄機を提供できる。
【００４１】
また、吹出し口の風量の比率を強制的に設定する操作スイッチを備えることにより、使用者が風量の比率を選択することのできるという効果のある空気清浄機を提供できる。
【００４２】
また、吹出し口の風量の比率を表示する表示手段を備えることにより、使用者が現在の風量の比率を知ることのできるという効果のある空気清浄機を提供できる。
【発明を実施するための最良の形態】
【００４３】
本発明の請求項１記載の発明は、本体に設けた吸気口と、この吸気口から吸気した汚れ空気を清浄化する浄化手段と、この浄化手段に通風する送風手段と、空気中の汚れ成分を検出する汚れ検出手段と、前記浄化手段により清浄化された空気が本体から吹き出される少なくとも二つ以上の吹出し口と、前記吹出し口の風量の比率を制御する制御部を備え、前記汚れ検出手段による汚れ検出値により決定する前記送風手段の風量の大小に応じて、人体に当たる風量を低減し、人体に寒さを感じさせないように、前記吹出し口の風量の比率を制御するようにしたものであり、送風手段の風量が大きくても人体に当たる風量を低減でき、人体に寒さを感じさせることを低減することのできるという作用を有する。
【００４４】
また、室温を検出する温度検出手段を備え、前記温度検出手段による室温検出値が所定温度を下回った場合に、汚れ検出手段による汚れ検出値により決定する送風手段の風量の大小に応じて、吹出し口の風量の比率を制御するようにしたものであり、室温が低い場合は人体に当たる風量を低減でき、人体に寒さを感じさせることを低減することのできるという作用を有する。
【００４５】
また、所定温度を任意の温度に設定する操作スイッチを備えるようにしたものであり、室温が低いか否かを判断する温度を使用者が選択することのできるという作用を有する。
【００４６】
また、温度検出手段が検出した室温を表示する表示手段を備えるようにしたものであり、使用者に室温を知らせることができるという作用を有する。
【００４７】
また、所定温度の設定を表示する表示手段を備えるようにしたものであり、使用者に室温が低いか否かを判断する所定温度を知らせることができるという作用を有する。
【００４８】
また、人検出手段を備え、人が居ることを検出した場合に、汚れ検出手段による汚れ検出値により決定する送風手段の風量の大小に応じて、吹出し口の風量の比率を制御するようにしたものであり、空気清浄機周辺に人が居る場合は人体に当たる風量を低減でき、人体に寒さを感じさせることを低減することのできるという作用を有する。
【００４９】
また、吹出し口に人検出手段を備え、前記吹出し口の吹出し方向に人が居ることを検出した場合に、汚れ検出手段による汚れ検出値により決定する送風手段の風量の大小に応じて、前記吹出し口の風量の比率を制御するようにしたものであり、吹出し方向に人が居る場合は人体に当たる風量を低減でき、人体に寒さを感じさせることを低減することのできるという作用を有する。
【００５０】
また、全ての吹出し方向に人が検出された場合、汚れ検出手段による汚れ検出値により決定する送風手段の風量を下げるようにしたものであり、人体に当たる風量を低減でき、人体に寒さを感じさせることを低減することのできるという作用を有する。
【００５１】
また、人検出手段の検出値を有効あるいは無効を切り替える操作スイッチを備えるようにしたものであり、使用者が送風手段の風量を下げるか否かを選択することのできるという作用を有する。
【００５２】
また、報知手段を備え、吹出し口の風量の比率が変化した場合に、使用者に知らせるようにしたものであり、風量の比率が変化したことを使用者に知らせることのできる使い勝手が向上するという作用を有する。
【００５３】
また、吹出し口の風量の比率を強制的に設定する操作スイッチを備えるようにしたものであり、使用者が風量の比率を選択することのできるという作用を有する。
【００５４】
また、吹出し口の風量の比率を表示する表示手段を備えるようにしたものであり、使用者が現在の風量の比率を知ることのできるという作用を有する。
【００５５】
以下、本発明の実施の形態について図面を参照しながら説明する。
【００５６】
（実施の形態１）
図１〜図５に示すように、空気清浄機本体１は略箱形に形成され、本体１の正面にはフロントパネル２を設け、このフロントパネル２に吸気口３を形成している。本体１内には空気を清浄化するための浄化手段としてのフィルター４と、このフィルター４に通風する送風手段としてのファンモーター５が備えられ、本体１側面に吹出し口Ａ８と吹出し口Ｂ９、本体１上面に吹出し口Ｃ１０が設けられている。ファンモーター５の駆動により吸気口３から空気が吸い込まれ、フィルター４を通って清浄された後、吹出し口Ａ８と吹出し口Ｂ９と吹出し口Ｃ１０から吹き出される。
【００５７】
本体１左上部には汚れ検出手段としてのガス検出部７が設けられている。ガス検出部７としてはガスセンサーなどがある。
【００５８】
またガス検出部７からの汚れ検出値により運転風量を決定するマイクロコンピュータ１１と、マイクロコンピュータ１１からの出力により吹出し口Ａ８と吹出し口Ｂ９と吹出し口Ｃ１０の風量割合を制御する制御部６が設けられている。
【００５９】
上記構成において、図４に示すようにガス検出部７により検出された汚れ検出値が第１設定値を超えた場合は、運転風量を弱とマイクロコンピュータ１１が演算処理し、ファンモーター５に出力する。また、ガス検出部７により検出された汚れ検出値が第２設定値を超えた場合は、運転風量を中とマイクロコンピュータ１１が演算処理し、ファンモーター５に出力する。また、ガス検出部７により検出された汚れ検出値が第３設定値を超えた場合は、運転風量を強とマイクロコンピュータ１１が演算処理し、ファンモーター５に出力する。
【００６０】
本体１の設置に対して、吹出し口Ａ８と吹出し口Ｂ９の吹出し方向は側面方向に吹出すため、人が居る可能性が高く、吹出し口Ｃ１０は上面方向に吹出すため、人が居る可能性が低い。したがって、図５（イ）に示すように、決定した運転風量が弱の場合は、吹出し口Ａ８と吹出し口Ｂ９の風量割合を５０％、吹出し口Ｃ１０の風量割合を０％と制御部６が制御し、決定した運転風量が中の場合は、吹出し口Ａ８と吹出し口Ｂ９の風量割合を４０％、吹出し口Ｃ１０の風量割合を２０％と制御部６が制御し、決定した運転風量が強の場合は、吹出し口Ａ８と吹出し口Ｂ９の風量割合を３０％、吹出し口Ｃ１０の風量割合を４０％と制御部６が制御し、本体１から人が居る側面方向に吹出す吹出し口Ａ８と吹出し口Ｂ９の風量割合を運転風量の増加に反比例し減少するように制御する。
【００６１】
このように運転風量が大きくなっても人体に当たる風量を低減でき、人体に寒さを感じさせることを低減することができる。
【００６２】
なお、実施の形態１では図５（イ）に示すように風量の割合を制御したが、図５（ロ）に示すように、決定した運転風量が弱の場合は、吹出し口Ａ８と吹出し口Ｂ９の風量割合を３０％、吹出し口Ｃ１０の風量割合を４０％と制御部６が制御し、決定した運転風量が中の場合は、吹出し口Ａ８と吹出し口Ｂ９の風量割合を２０％、吹出し口Ｃ１０の風量割合を６０％と制御部６が制御し、決定した運転風量が強の場合は、吹出し口Ａ８と吹出し口Ｂ９の風量割合を１０％、吹出し口Ｃ１０の風量割合を８０％と風量の割合を制御しても、その作用効果に差異を生じない。
【００６３】
（実施の形態２）
本実施の形態は前記実施の形態１と制御方法が異なるのみであり、同一構成のものは同一番号を付して詳しい説明は省略する。
【００６４】
図６に示すように、汚れ検出手段としてのガス検出部７を設け、このガス検出部７による汚れ検出値により、マイクロコンピュータ１１がファンモーター５の運転風量を決定する。さらに温度検出手段としてのサーミスター１２を設け、室温を検出している。また、マイクロコンピュータ１１内部には所定温度１６としての２０℃を記憶し、さらに所定温度設定スイッチ１３と室温表示１４、所定温度表示１５を設けている。室温表示１４、所定温度表示１５としては、液晶などがある。
【００６５】
上記構成において、図７と図８を用いて説明する。サーミスター１２により検出された室温がマイクロコンピュータ１１の内部に記憶されている所定温度１６より低い場合は区間Ａと判定し、本体１の設置に対して、吹出し口Ａ８と吹出し口Ｂ９の吹出し方向は側面方向に吹出すため、人が居る可能性が高く、吹出し口Ｃ１０は上面方向に吹出すため、人が居る可能性が低いので、制御部６が図８（イ）に示すように、決定した運転風量が弱の場合は、吹出し口Ａ８と吹出し口Ｂ９の風量割合を４０％、吹出し口Ｃ１０の風量割合を２０％と制御部６が制御し、決定した運転風量が中の場合は、吹出し口Ａ８と吹出し口Ｂ９の風量割合を３０％、吹出し口Ｃ１０の風量割合を４０％と制御部６が制御し、決定した運転風量が強の場合は、吹出し口Ａ８と吹出し口Ｂ９の風量割合を２０％、吹出し口Ｃ１０の風量割合を６０％と制御部６が制御する。また、サーミスター１２により検出された室温がマイクロコンピュータ１１の内部に記憶されている所定温度１６より高い場合は区間Ｂと判定し、制御部６が図８（ロ）に示すように、決定した運転風量に関係なく、吹出し口Ａ８と吹出し口Ｂ９の風量割合を５０％、吹出し口Ｃ１０の風量割合を０％と制御部６が制御する。さらに、所定温度設定スイッチ１３により所定温度１６を初期設定値２０℃から任意の温度に設定変更することができ、設定されている所定温度１６は所定温度表示１５で表示、サーミスター１２が検出した室温は室温表示１４で表示する。
【００６６】
このように吹出し風を寒いと感じる室温では、本体１から人が居る側面方向に吹出す吹出し口Ａ８と吹出し口Ｂ９の風量割合を運転風量の増加に反比例し減少することで、人体に当たる風量を低減でき、人体に寒さを感じさせることを低減することができる。
【００６７】
また、室温が低いか否かの判断を使用者の感覚に合わせることができる。
【００６８】
また、使用者に室温や所定温度の設定を知らせることができる。
【００６９】
なお、実施の形態２では温度検出手段としてサーミスター１２を用いたが、白金測温抵抗体等の接触温度計に限らず、放射温度計等の非接触温度計を用いてもよく、その作用効果に差異を生じない。
【００７０】
（実施の形態３）
本実施の形態は前記実施の形態１あるいは２と制御方法が異なるのみであり、同一構成のものは同一番号を付して詳しい説明は省略する。
【００７１】
図９に示すように、汚れ検出手段としてのガス検出部７を設け、ガス検出部による汚れ検出値により、マイクロコンピュータ１１がファンモーター５の運転風量を決定する。また人検出手段としての焦電型赤外線センサ１７を設け、人の有無を検出している。
【００７２】
上記構成において、焦電型赤外線センサ１７が側面方向に人有りを検出した場合、マイクロコンピュータ１１からの出力により制御部６が図１０（イ）に示すように、決定した運転風量が弱の場合は、吹出し口Ａ８と吹出し口Ｂ９の風量割合を４０％、吹出し口Ｃ１０の風量割合を２０％と制御部６が制御し、決定した運転風量が中の場合は、吹出し口Ａ８と吹出し口Ｂ９の風量割合を３０％、吹出し口Ｃ１０の風量割合を４０％と制御部６が制御し、決定した運転風量が強の場合は、吹出し口Ａ８と吹出し口Ｂ９の風量割合を２０％、吹出し口Ｃ１０の風量割合を６０％と制御部６が制御する。また、焦電型赤外線センサ１７が人無しを検出した場合、マイクロコンピュータ１１からの出力により制御部６が図１０（ロ）に示すように、決定した運転風量に関係なく、吹出し口Ａ８と吹出し口Ｂ９の風量割合を５０％、吹出し口Ｃ１０の風量割合を０％と制御部６が制御する。
【００７３】
このように空気清浄機周辺に人が居る場合は、本体１から人が居る側面方向に吹出す吹出し口Ａ８と吹出し口Ｂ９の風量割合を運転風量の増加に反比例し減少することで、人体に当たる風量を低減でき、人体に寒さを感じさせることを低減することができる。
【００７４】
（実施の形態４）
本実施の形態は前記実施の形態１あるいは２と制御方法が異なるのみであり、同一構成のものは同一番号を付して詳しい説明は省略する。
【００７５】
図１１に示すように、汚れ検出手段としてのガス検出部７を設け、ガス検出部による汚れ検出値により、マイクロコンピュータ１１がファンモーター５の運転風量を決定する。また人検出手段としての焦電型赤外線センサＡ１８と焦電型赤外線センサＢ１９と焦電型赤外線センサＣ２０を設け、焦電型赤外線センサＡ１８は吹出し口Ａ８の吹出し方向の人の有無を検出し、焦電型赤外線センサＢ１９は吹出し口Ｂ９の吹出し方向の人の有無を検出し、焦電型赤外線センサＣ２０は吹出し口Ｃ１０の吹出し方向の人の有無を検出している。さらに、焦電型赤外線センサＡ１８、焦電型赤外線センサＢ１９、焦電型赤外線センサＣ２０の検出値を無効にするセンサ信号切替スイッチ２１を設けている。
【００７６】
上記構成において、焦電型赤外線センサＡ１８のみが人有りを検出した場合、マイクロコンピュータ１１からの出力により制御部６が図１２（ロ）に示すように、吹出し口Ａ８の風量割合を減少させるように吹出し口Ａ８と吹出し口Ｂ９と吹出し口Ｃ１０の風量割合を制御する。また、焦電型赤外線センサＢ１９のみが人有りを検出した場合は図１２（ハ）に示すように、焦電型赤外線センサＣ２０のみが人有りを検出した場合は図１２（ニ）に示すように、制御部６が吹出し口Ａ８と吹出し口Ｂ９と吹出し口Ｃ１０の風量割合を制御する。また、焦電型赤外線センサＡ１８と焦電型赤外線センサＢ１９の二つが人有りを検出した場合、マイクロコンピュータ１１からの出力により制御部６が図１３（イ）に示すように、吹出し口Ａ８と吹出し口Ｂ９の風量割合を減少させるように吹出し口Ａ８と吹出し口Ｂ９と吹出し口Ｃ１０の風量割合を制御する。また、焦電型赤外線センサＡ１８と焦電型赤外線センサＣ２０の二つが人有りを検出した場合は図１３（ロ）に示すように、焦電型赤外線センサＢ１９と焦電型赤外線センサＣ２０の二つが人有りを検出した場合は図１３（ハ）に示すように、制御部６が吹出し口Ａ８と吹出し口Ｂ９と吹出し口Ｃ１０の風量割合を制御する。また、焦電型赤外線センサＡ１８と焦電型赤外線センサＢ１９と焦電型赤外線センサＣ２０すべてで人有りを検出した場合は、図１４に示すようにガス検出部７により検出された汚れ検出値が第２設定値を超えた場合の運転風量を弱、第３設定値を超えた場合の運転風量を中と決定し、制御部６が図１３（ニ）に示すように吹出し口Ａ８と吹出し口Ｂ９と吹出し口Ｃ１０の風量割合を制御する。さらに、センサ信号切替スイッチ２１により焦電型赤外線センサＡ１８、焦電型赤外線センサＢ１９、焦電型赤外線センサＣ２０の検出値を無効にし、図１４に示される運転風量から図４に示される運転風量に変更することができる。
【００７７】
このように吹出し方向に人が居る吹出し口の風量を減らすことで人体に当たる風量を低減でき、人体に寒さを感じさせることを低減することができる。
【００７８】
また、すべての吹出し方向に人が居る場合は、ファンモーター５の運転風量を下げることで人体に当たる風量を低減でき、人体に寒さを感じさせることを低減することができる。
【００７９】
また、使用者が送風手段の風量を下げるか否かを選択することができる。
【００８０】
（実施の形態５）
本実施の形態は前記実施の形態１あるいは２と制御方法が異なるのみであり、同一構成のものは同一番号を付して詳しい説明は省略する。
【００８１】
図１５に示すように、汚れ検出手段としてのガス検出部７を設け、このガス検出部７による汚れ検出値により、マイクロコンピュータ１１がファンモーター５の運転風量を決定する。また報知手段としてのブザー２２、吹出し口Ａ８と吹出し口Ｂ９と吹出し口Ｃ１０のそれぞれ吹出し口の風量比率を強制的に設定する風量比率設定スイッチ２３、前記吹出し口の風量比率を表示する風量比率表示２４を設けている。風量比率表示２４としては、液晶などがある。
【００８２】
上記構成において、各吹出し口の風量の比率が変化した場合は、ブザー２２が鳴動する。また、図１６に示すように吹出し口Ａ８と吹出し口Ｂ９と吹出し口Ｃ１０の風量の比率を風量比率設定スイッチ２３により設定することができる。また、各吹出し口の風量の比率を風量比率表示２４で表示する。
【００８３】
このように風量の比率が変化したことを使用者は音で知ることができる。
【００８４】
また、吹出し口の風量の比率を使用者の使い勝手に合わせることができる。
【００８５】
また、使用者に吹出し口の風量の比率の設定を知らせることができる。
【産業上の利用可能性】
【００８６】
吹出し口の風量の比率を制御して人体に当たる風量を低減できるので、居住空間で使用するエアコンや除湿機などの空調機器の風量制御にも適用できる。
【図面の簡単な説明】
【００８７】
【図１】本発明の実施の形態１の空気清浄機の一部破断の外観斜視図
【図２】同空気清浄機の吹出し口の配置を示す背面視図
【図３】同制御ブロック図
【図４】同ガス検出部の汚れレベル値に対する運転風量の相関図
【図５】同運転風量に対する吹出し口の風量比率を示す図
【図６】本発明の実施の形態２の制御ブロック図
【図７】同サーミスターの検出温度と所定温度を示す図
【図８】同運転風量に対する吹出し口の風量比率を示す図
【図９】本発明の実施の形態３の制御ブロック図
【図１０】同運転風量に対する吹出し口の風量比率を示す図
【図１１】本発明の実施の形態４の制御ブロック図
【図１２】同運転風量に対する吹出し口の風量比率を示す図
【図１３】同運転風量に対する吹出し口の風量比率を示す図
【図１４】同ガス検出部の汚れレベル値に対する運転風量の相関図
【図１５】本発明の実施の形態５の制御ブロック図
【図１６】同風量比率設定スイッチによる各吹出し口の風量比率を示す図
【図１７】従来の空気清浄機の一部破断の外観斜視図
【図１８】同ガス検出部の汚れレベル値に対する運転風量の相関図
【符号の説明】
【００８８】
１    本体
３    吸気口
４    フィルター（浄化手段）
５    ファンモーター（送風手段）
６    制御部
７    ガス検出部（汚れ検出手段）
８    吹出し口Ａ
９    吹出し口Ｂ
１０  吹出し口Ｃ
１２  サーミスター（温度検出手段）
１３  所定温度設定スイッチ
１４  室温表示
１５  所定温度表示
１６  所定温度
１７  焦電型赤外線センサ（人検出手段）
１８  焦電型赤外線センサＡ（人検出手段）
１９  焦電型赤外線センサＢ（人検出手段）
２０  焦電型赤外線センサＣ（人検出手段）
２１  センサ信号切替スイッチ
２２  ブザー（報知手段）
２３  風量比率設定スイッチ
２４  風量比率表示
【図１】
2007050327.tif 000003
【図２】
2007050327.tif 000004
【図３】
2007050327.tif 000005
【図４】
2007050327.tif 000006
【図５】
2007050327.tif 000007
【図６】
2007050327.tif 000008
【図７】
2007050327.tif 000009
【図８】
2007050327.tif 000010
【図９】
2007050327.tif 000011
【図１０】
2007050327.tif 000012
【図１１】
2007050327.tif 000013
【図１２】
2007050327.tif 000014
【図１３】
2007050327.tif 000015
【図１４】
2007050327.tif 000016
【図１５】
2007050327.tif 000017
【図１６】
2007050327.tif 000018
【図１７】
2007050327.tif 000019
【図１８】
2007050327.tif 000020